(57)【要約】【課題】車体側へボルトにより取り付けられたフード内のラッチを車外から開けることが困難になるようにする。【解決手段】フード１内のラッチケース３は耳部６が車両前方側から車体側へボルト８により取り付けられ、ラッチケース３に上方から嵌め込まれたカバー３０は、脚部３３等により車幅方向及び下方でラッチケース３と係止して、頂部３１がフード１に近接配置されると共に、左右の前面部３２がボルト８の車両前方側を覆うように構成されている。【選択図】        図１
2004300867.tif 000002
【特許請求の範囲】
【請求項１】
車両前方からケースを挿通して車体側へねじ込まれるボルトにより上記ケースが上記車体側に取り付けられて上記車両におけるフードの下面に近接配置され、上方から嵌め込まれたカバーが上記ケースと少なくとも車両前方側に係合すると共に、上記カバーの頂部が上記フードの下面に近接配置され、上記ケースの車両前方側における上記ボルトの頭部を上記カバーが車両前方から覆うように構成されたフードラッチ。
【発明の詳細な説明】
【０００１】
【発明の属する技術分野】
本発明は、車両のフードにおけるラッチ、とくに、車外からフードを開けにくくしたラッチに関する。
【０００２】
【従来の技術】
図４及び図５に例示されているように、車両のフード１に対する従来のラッチ２は、ケース３の横断面が車両後方に開いた略コ字状であって、車体側パネル４のウェルドナット５に対し車両前方からケース３における車幅方向両端耳部６のボルト孔７を挿通してねじ込まれたボルト８により、ケース３がフード１の下面に近接した状態でパネル４に固定されている一方、ケース３にはその車幅方向のほぼ中央部に上下方向の溝９が形成されていて、フード１に固定されてフード１が閉じられたとき上方から溝９に嵌入する略Ｕ字状のストライカ１０をラッチ２が係止するように構成されているが、フード１におけるグリル１１の間から工具１２をフード１内へ無理に差し込んで、ボルト８を回動させることによりパネル４からケース３を分離させれば、ラッチ２とストライカ１０とが係合した状態のままフード１を容易に開くことができるようになるので、車両部品等が盗難にあう可能性があった。
【０００３】
なお、盗難防止を図ったボンネットロック装置として、下記特許文献１に記載されたものが従来から知られている。
【０００４】
【特許文献１】
実公平３−４７０８４号公報
【０００５】
この場合には、スイッチを取り付けたブラケットの下部に折り曲げカバー部を設け、このカバー部によりスイッチ、レバー及びクローレバーの下面側を覆っていて、外部から棒状物を挿入してもスイッチの破壊やクローレバーの操作ができないようにしているが、ボンネットに取り付けたストライカと噛み合う基板自体は、上記従来装置の場合と同様にボルト等により車両前方側から車体に取り付けられているので、このボルトを外部から緩めることによってボンネットを開けることができるという問題があった。
【０００６】
【発明が解決しようとする課題】
本発明は、車体側へボルトにより取り付けられたフード内のラッチを車外から開けることが困難になるようにしようとするものである。
【０００７】
【課題を解決するための手段】
このため、本発明にかかるフードラッチは、車両前方からケースを挿通して車体側へねじ込まれるボルトにより上記ケースが上記車体側に取り付けられて上記車両におけるフードの下面に近接配置され、上方から嵌め込まれたカバーが上記ケースと少なくとも車両前方側に係合すると共に、上記カバーの頂部が上記フードの下面に近接配置され、上記ケースの車両前方側における上記ボルトの頭部を上記カバーが車両前方から覆うように構成されている。
【０００８】
従って、フードが閉じられた車両において、車両前方からフードの隙間を利用して工具等を無理に差し込み、ケースを車体側に取り付けたボルトを緩めようとしても、ラッチの上方から嵌め込まれたカバーが上記ボルトを車両前方から覆っているので、上記ボルトを取り外すことはできず、また、カバーがケースと少なくとも車両前方側に係合すると共に、カバーの頂部がフードの下面に近接配置されているため、カバーを車両前方または上方へケースから取り外すことも困難となる。
【０００９】
【発明の実施の形態】
以下、本発明の実施形態例について、前記従来装置との同等部分にはそれぞれ同一符号を付けて説明する。
【００１０】
図１〜図３において、ラッチ２はケース３の横断面が車両後方に開いた略コ字状であって、ケース３の車両前後方向に延びる左右肩部２０にそれぞれ上方突起２１が形成されており、上記従来装置の場合と同様に、車両前方からケース３における車幅方向両端耳部６のボルト孔７を挿通したボルト８が、車体側パネルのウェルドナットにねじ込まれて、フード１が閉じられたときケース３がフード１の下面に近接した状態で車体側パネルに固定され、フード１に固定された略Ｕ字状のストライカ１０が上方から溝９に嵌入して、ラッチ２がストライカを係止するように構成されている。
【００１１】
他方、樹脂製カバー３０は、車両前後方向及び車幅方向に延びる頂面３１と、車幅方向両端の前面部３２と、車幅方向に間隔をおいて形成された両脚部３３とをそなえており、各脚部３３の車幅方向外側にはそれぞれ上下に延びてケース３の上方突起２１とほぼ同じ車両前後方向幅の溝３４が設けられ、溝３４の上方には溝３４より車両前後方向幅が若干狭くなった孔部３５が連続して設けられている。
【００１２】
図２の矢印に示されているようにラッチ２のケース３へ上方からカバー３０を嵌め込むと、左右肩部２０の各突起２１が相対的にカバー３０における左右脚部３３の溝３４内をそれぞれ変位して、溝３４上方の孔部３５とそれぞれ弾力的に係合し、左右脚部３３がそれぞれ車幅方向外側から左右突起２１により挟持されることにより、ケース３に対するカバー３０の横ずれが防止されると共に、ケース３の肩部２０と脚部３３の付け根付近におけるカバー３０の下面３６とが上下方向に係止する結果、ケース３及びカバー３０の相対的位置決めが行われ、このとき、カバー３０の頂面３１がケース３の頂部と近接して配置されると同時に、カバー３０の左右前面部３２がそれぞれケース３における左右耳部６のボルト孔７周辺を車両前方から間隔をおいて覆うこととなる。
【００１３】
従って、上記のようにラッチ２のケース３がボルト８により車体側パネルに固定されてから、ケース３にカバー３０が上方から嵌め込まれると、カバー３０の左右前面部３２がそれぞれケース３の左右耳部６におけるボルト８の頭部を車両前方から完全に覆うので、フード１が閉じられたとき、車両前方からフード１の隙間を利用して工具等を無理に差し込んでも、ケース３の左右耳部６を車体側に取り付けたボルト８を緩めることは、カバー３０の左右前面部３２によりそれぞれ阻止されることとなる。
【００１４】
また、ケース肩部２０の上方突起２１とカバー脚部３３の孔部３５との係合により、カバー３０が車両前後方向にケース３と係合し、かつ、ケース３の肩部２０とカバー３０の下面３６との係止、及び、フード１が閉じられたときにおけるカバー３０の頂面３１とフード１との近接配置により、カバー３０をケース３に対して上下左右のいずれにも大きく位置ずれを起こさせたり、または、ケース３から上下左右のいずれかの方向へ取り外すことは困難となって、カバー３０の左右前面部３２によるボルト８の上記緩め阻止作用を常に確保することができる。
【００１５】
このため、ボルト８による車体側パネルへのラッチ２の取付けを常に強固なものとして、車外からの意図しないフードの開放を防止することができるので、車両部品等が盗難にあうといった可能性を容易に低減させて、車両の安全性を高めることができる。
【００１６】
さらに、カバー３０の頂面３１がラッチ２の上方を覆っているので、フード１が開けられたとき、ケース３内におけるラッチ２の細部機構を見えなくすることができるため、見栄えを容易に向上させることができる一方、車両の走行時にフード１内へ入り込んだ雨水、雪、ほこり等がケース３内へ上方から侵入することを抑制することにより、ラッチ２内部の発錆や氷結、あるいは、塗布されたグリースの減少を防止して、ラッチ２の作動フィーリングが悪化しないようにすることができる長所がある。
【００１７】
なお、上記実施形態例では、ラッチのケースに取り付けられるカバー３０が樹脂製であるが、これを板金製等としてその強度をさらに高めるようにしてもよいことはいうまでもない。
【００１８】
【発明の効果】
本発明にかかるフードラッチにあっては、フードが閉じられた車両において、車両前方からフードの隙間を利用して工具等を差し込み、ケースを車体側に取り付けたボルトを緩めようとしても、ラッチの上方から嵌め込まれたカバーが上記ボルトを車両前方から覆っているため、上記ボルトを取り外すことはできず、また、カバーがケースと少なくとも車両前方側に係合すると共に、カバーの頂部がフードの下面に近接配置されているため、車外からカバーをケースに対して車両前方または上方へ大きく位置ずれを起こさせることも困難であって、カバーによるボルトの取外し防止作用を確保できるので、閉じられていたフードを車外から開けることを阻止して、車両の安全性を高めることができる。
【図面の簡単な説明】
【図１】本発明の実施形態例における要部の正面図。
【図２】上記実施形態例の作用説明図。
【図３】上記実施形態例の一部側面図。
【図４】従来装置における要部の概略側面図。
【図５】図４のＶ矢視拡大図。
【符号の説明】
１  フード
２  ラッチ
３  ケース
６  耳部
８  ボルト
２０  肩部
２１  突起
３０  カバー
３１  頂面
３２  前面部
３３  脚部
３４  溝
３５  孔部
３６  カバー下面
【図１】
2004300867.tif 000003
【図２】
2004300867.tif 000004
【図３】
2004300867.tif 000005
【図４】
2004300867.tif 000006
【図５】
2004300867.tif 000007